【事件の表示】
　特願２００２−１１９４８８「太陽電池モジュールの取付部材および太陽電池モジュールの取付構造」拒絶査定不服審判事件〔平成１５年１１月　６日出願公開、特開２００３−３１４００９〕について、次のとおり審決する。
【結　論】
　本件審判の請求は、成り立たない。
【理　由】
【１】手続きの経緯
　本願は，平成１４年４月２２日の出願であって，平成１９年１１月２９日付けで拒絶査定がなされ，これに対し，同年１２月２７日付けで拒絶査定に対する審判請求がなされるとともに，平成２０年１月２５日付けで手続補正がなされたものであって，当審にて，平成２１年２月２７日付けで審査官による前置報告書を提示するとともに請求人の意見を求めるため審尋したところ，平成２１年４月２８日付けで回答書が提出されたものである。
　
【２】補正の却下の決定  
　［補正の却下の決定の結論］  
　　平成２０年１月２５日付けの手続補正を却下する。 
 　 
　［理由］  
１．補正の内容・目的
　平成２０年１月２５日付けの手続補正（以下，「本件補正」という。）は，特許請求の範囲について，
　「【請求項１】
　勾配屋根に設置された瓦の代わりに、該勾配屋根の下地上に設置される太陽電池モジュールを取付けるための太陽電池モジュール取付部材であって、
　前記太陽電池モジュールを支持固定するために、前記勾配屋根の上側から下側へ向かって延びるように設けられる太陽電池モジュール支持固定部と、
　該太陽電池モジュール支持固定部の下側に該太陽電池モジュール支持固定部と一体的に設けられ、前記太陽電池モジュール支持固定部の表面を伝わって流れ込む雨水または該表面の近傍を通過して吹き込む雨水を受けて、該雨水を前記勾配屋根の上側から下側へ導くために、前記下地の上に前記勾配屋根の上側から下側へ向かって延びるように設置される排水溝部とを備え、
　該排水溝部内に、該排水溝部を複数の排水経路に分けるための仕切壁が、前記排水溝部が延びる方向に沿って延びるように形成され、
　前記太陽電池モジュール支持固定部は、
　他の太陽電池モジュール支持固定部と一対をなして前記太陽電池モジュールを支持固定するものであって、
　前記太陽電池モジュール支持固定部が太陽電池モジュールを支持固定する面と反対側の面に、前記他の太陽電池モジュール支持固定部が設置される位置を決定するための位置決め部を含み、
　前記他の太陽電池モジュール支持固定部は、前記位置決め部に対して着脱可能であり、前記他の太陽電池モジュール支持固定部を前記位置決め部に載置することにより、前記太陽電池モジュールと隣り合って設置される他の太陽電池モジュールを支持固定し、
　前記他の太陽電池モジュール支持固定部は、前記太陽電池モジュールが連続して複数並べて設置された場合に、前記太陽電池モジュールの取替えの際、前記太陽電池モジュール支持固定部が延びる方向の任意の位置の前記太陽電池モジュールの取付および取外しができるように構成されている、太陽電池モジュールの取付部材。
【請求項２】〜【請求項８】（記載を省略する。）」
　と補正することを含むものである。
　
　本件補正は，請求項１に係る発明を特定するために必要な事項である「他の太陽電池モジュール支持固定部」を「太陽電池モジュールが連続して複数並べて設置された場合に、前記太陽電池モジュールの取替えの際、太陽電池モジュール支持固定部が延びる方向の任意の位置の前記太陽電池モジュールの取付および取外しができるように構成されている」と限定したものと認められるから，本件補正は，少なくとも，平成１８年法律第５５号改正附則第３条第１項によりなお従前の例によるとされる同法による改正前の特許法第１７条の２第４項第２号の特許請求の範囲の減縮を目的とする補正事項を含むものである。
　
　そこで，上記本件補正後の請求項１に係る発明（以下，「本件補正発明」という。）が特許出願の際独立して特許を受けることができるものであるか，すなわち，平成１８年法律第５５号改正附則第３条第１項によりなお従前の例によるとされる同法による改正前の特許法第１７条の２第５項において準用する同法第１２６条第５項に規定する要件を満たしているか，について以下に検討する。
　
　２．独立特許要件について
　２−１．特許法第２９条第２項違反について
　２−１−１．引用刊行物
（１）刊行物１
　本願出願前に頒布された刊行物である，特開２００１−１２３６０９号公報（以下，「刊行物１」という。）には，以下の記載がある。
（１ａ）「方形の平板態に構成された光発電機能体である基盤の周辺にフレームを装着した太陽電池パネルであって、そのフレームを斜めにした設置状態で上側となる上側フレームと、下側となる下側フレームと、左右の縦フレームとにより構成し、その左右の縦フレームの一方に対し、前記基盤の辺縁に沿って上下方向に連続し、上下端側において開放した第１の樋構造を設け、この第１の樋構造の下方に同第１の樋構造に沿って連続し上下端側において開放した第２の樋構造を設けた太陽電池パネル。」（【請求項１】）
（１ｂ）「フレーム４は、斜めの設置状態で上側となる上側フレーム５と、下側となる下側フレーム６と、左右の縦フレーム７，８との組合わせによる方形の枠構造体として構成されている。左右の縦フレーム７，８の一方（図１の左側７）は、図４に示すように内側面の上部が基盤係合部として長手方向に開放した四角筒の第１の樋構造としての内樋９を備えている。内樋９は基盤係合部に係合した基盤３の側辺縁の背面に沿って上下方向に連続し、その上下端は開放し、その下端側底部は下面が凹状に削られ、その部分に通水孔１０が形成されている（図１０参照）。この縦フレーム７には内樋９の下方に内樋９に沿って連続し上下端側が開放した第２の樋構造としての下樋１１と、横方向に隣設させる他の太陽電池パネル１の縦フレーム８を突合わせるための四角筒状の係合部１２がそれぞれ一体に図４に示すように形成されている。
　下樋１１は、両端縁が上側に曲げられた板状に構成されていて、内樋９の下部から垂直方向に延びる連結部１３により内樋９の下方に受皿状の樋を形成し、その上側端は延出部１４として内樋９より長く延出している（図１参照）。連結部１３は下樋１１を実質的に左右に分断していて、連結部１３より内側に張出す下樋１１の内端縁は内樋９の内側面よりさらに干若内側に入り込んでいる。また、連結部１３より外側に張出す下樋１１の外端縁は、横方向に隣設させる他の太陽電池パネル１の縦フレーム８の投影平面より大きく外方にフランジ状に延出している。係合部１２は、内樋９の外側に一側面を共有する形態に形成され、内樋９と係合部１２の直下に下樋１１が位置している。
　左右の縦フレーム７，８の他方（図１の右側８）は、図５に示すように断面略Ｊ字型の筒体に形成され、上面内側面の上端部の間が基盤係合部１５として長手方向に開放している。この縦フレーム８の基盤係合部１５に続く画成部分は、その基盤係合部１５に係合した基盤３の側辺縁下部に沿って上下方向に連続する上下端の開放した第３の樋構造１６となっていて、その下端側底部には通水孔１７が形成されている。この縦フレーム８の外側部は内樋９及び下樋１１を備えた縦フレーム７の係合部１２に胴突き状態に係合させることができるようになっている。」（段落【００１５】〜【００１７】）
（１ｃ）「次に上述した構成の太陽電池パネル１によって構成する家屋の屋根構造２について説明する。ここでは、説明上、上側フレーム５を棟側フレームに、下側フレーム６を軒側フレームにそれぞれ言い換えることにする。またここで言う棟側とは設置状態での上側と同義であり、軒側とは設置状態での下側と同義である。この屋根構造２は、図７，８に示すように太陽電池パネル１を屋根の野地板２７上に棟側から軒側へ列状に複数列並べて構成されている。野地板２７には棟側から軒側に向かって下り勾配が付けられていて、この上に棟側の太陽電池パネル１の軒側の端縁が軒側の太陽電池パネル１の棟側フレーム５の上に重なるように順次配列され、それぞれ野地板２７上にネジにより固定されている。」（段落【００２０】）
（１ｄ）「・・・妻側についての太陽電池パネル１相互は、内樋９と下樋１１のある縦フレーム７に隣接する第３の樋構造１６を有する縦フレーム８を係合部１２への突合わせ係合により接合される（図１２参照）。この接合部分と第３の樋構造１６は下樋１１の外側へ張出した部分により受けられる。」（段落【００２１】）
（１ｅ）【図４】，【図１２】には，「光発電機能体を取付けるための縦フレーム７」の「基盤係合部として長手方向に開放した内樋９」の反対側の面に係合部１２とともに突片状の部分（以下，「突片部」という。）が設けられ，前記縦フレーム８が「係合部１２」と「突片部」によって支持されることが記載されている。
　
　上記記載事項（１ａ）〜（１ｅ）及び図面の記載から見て，刊行物１には，以下の発明が記載されているものと認められる。
　
「屋根の野地板２７上に設置される光発電機能体を取付けるための縦フレームであって，
　前記光発電機能体を支持固定するために，基盤係合部として長手方向に開放した内樋９と，
　該内樋９の下方に形成され，侵入した雨水を排水する下樋１１とを備え，
　前記基盤係合部として長手方向に開放した内樋９は，
　基盤係合部１５と一対をなして前記光発電機能体を支持固定するものであって，
　前記基盤係合部として長手方向に開放した内樋９が光発電機能体を係合する面と反対側の面に，前記基盤係合部１５を支持固定するための係合部１２及び突片部が形成され，
　前記基盤係合部１５は，前記係合部１２及び突片部に対して係合可能であり，前記基盤係合部１５を前記係合部１２及び突片部に係合することにより，前記光発電機能体と隣り合って設置される他の光発電機能体を支持固定する光発電機能体を取付けるための縦フレーム。」（以下，「刊行物１記載の発明」という。）
　
　２−１−２．対比・判断
　本件補正発明と刊行物１記載の発明とを対比すると，刊行物１記載の発明の「光発電機能体を取付けるための縦フレーム」が本件補正発明の「太陽電池モジュールの取付部材」に相当し，以下同様に「野地板２７」が「下地」に，「光発電機能体」が「太陽電池モジュール」に，「基盤係合部として長手方向に開放した内樋９」が「太陽電池モジュール支持固定部」に，「基盤係合部１５」が「他の太陽電池モジュール支持固定部」に，「下樋１１」が「排水溝部」に，「係合部１２及び突片部」が「位置決め部」にそれぞれ相当している。
　そして，刊行物１の上記記載事項（１ａ），（１ｄ）及び【図１２】の記載からみて，刊行物１記載の発明の「基盤係合部１５（縦フレーム８）」が「係合部１２及び突片部」に係合して支持固定されることによって，「基盤係合部１５（縦フレーム８）」が設置される位置を決定していること，及び，その係合による支持が着脱可能であることは，当業者にとって自明のことである。
　
　したがって，両者は，以下の点で一致している。
「勾配屋根の下地上に設置される太陽電池モジュールを取付けるための太陽電池モジュール取付部材であって、
　前記太陽電池モジュールを支持固定するために、前記勾配屋根の上側から下側へ向かって延びるように設けられる太陽電池モジュール支持固定部と、
　該太陽電池モジュール支持固定部の下側に該太陽電池モジュール支持固定部と一体的に設けられ、前記太陽電池モジュール支持固定部の表面を伝わって流れ込む雨水または該表面の近傍を通過して吹き込む雨水を受けて、該雨水を前記勾配屋根の上側から下側へ導くために、前記下地の上に前記勾配屋根の上側から下側へ向かって延びるように設置される排水溝部とを備え、
　前記太陽電池モジュール支持固定部は、
　他の太陽電池モジュール支持固定部と一対をなして前記太陽電池モジュールを支持固定するものであって、
　前記太陽電池モジュール支持固定部が太陽電池モジュールを支持固定する面と反対側の面に、前記他の太陽電池モジュール支持固定部が設置される位置を決定するための位置決め部を含み、
　前記他の太陽電池モジュール支持固定部は、前記位置決め部に対して着脱可能である太陽電池モジュールの取付部材。」
　
　そして，以下の点で相違している。
（相違点１）
　本件補正発明は，「排水溝部内に、該排水溝部を複数の排水経路に分けるための仕切壁が、前記排水溝部が延びる方向に沿って延びるように形成され」ているのに対して，刊行物1記載の発明は，排水溝部に仕切壁は形成されていない点。
　
（相違点２）
　本件補正発明は，「他の太陽電池モジュール支持固定部を位置決め部に載置することにより、太陽電池モジュールと隣り合って設置される他の太陽電池モジュールを支持固定」しているのに対して，刊行物１記載の発明は，他の太陽電池モジュール支持固定部を位置決め部に対して係合させることにより，太陽電池モジュールと隣り合って設置される他の太陽電池モジュールを支持固定しているものであり，載置することにより支持固定しているものか否か明確ではない点。
　
（相違点３）
　本件補正発明は，「他の太陽電池モジュール支持固定部は、太陽電池モジュールが連続して複数並べて設置された場合に、太陽電池モジュールの取替えの際、太陽電池モジュール支持固定部が延びる方向の任意の位置の太陽電池モジュールの取付および取外しができるように構成されている」のに対して，刊行部１記載の発明は，その点明らかではない点。
　
　相違点について検討する。
（相違点１について）
　排水溝部内に仕切壁を設けて複数の排水経路を形成することは，周知の技術である（例えば実願平５−６２９７２号（実開平７−２９１３９号）のＣＤ−ＲＯＭの段落【０００９】，【００２０】，【図１０】を参照）。
　そして，刊行物１記載の発明において，上記周知の技術を採用して，排水溝部に仕切壁を設けて排水経路を複数設けることは，当業者が容易になし得た事項である。
　
（相違点２について）
　太陽電池モジュール支持固定部の位置決め部に対して，他の太陽電池モジュール支持固定部を取り外すことができるように支持する構成として，他の太陽電池モジュール支持固定部を該位置決め部に載置することは，もっとも単純な支持のための構成であって，当業者が適宜採用できる構成に過ぎない。
　そして，刊行物１記載の発明における，太陽電池モジュール支持固定部の位置決め部に対して，他の太陽電池モジュール支持固定部を取り外すことができるように支持する構成として，他の太陽電池モジュール支持固定部を該位置決め部に載置するよう構成することを妨げる要因も見あたらず，該構成を採用することによって格別の作用効果を生じるものでもない。
　
　なお，刊行物１には，他の太陽電池モジュール支持固定部（「基盤係合部１５」を有する縦フレーム８）を位置決め部（係合部１２及び突片部）に載置することは明記されてはいないものの，【図１２】にみられる「突片部」の構成及び「縦フレーム８」との関係から，他の太陽電池モジュール支持固定部（基盤係合部１５を有する縦フレーム８）は位置決め部（突片部）に載置されていると推認することもできる。
　
（相違点３について）
　相違点３に係る「太陽電池モジュールの取替えの際、太陽電池モジュール支持固定部が延びる方向の任意の位置の太陽電池モジュールの取付および取外しができる」構成について検討するために，本願明細書の発明の詳細な説明を見ると，その段落【００４９】〜【００５０】に「また、図４に示すように、太陽電池モジュールは、太陽電池モジュール周囲固定枠部１１は軒が延びる方向に平行に設けられたＬ型アングル５０およびビス４０を用いて屋根の桟木６０に固定されている。上記の構成によれば、太陽電池モジュールの着脱が容易になるとともに、太陽電池モジュールを取り替える際に、Ｌ型アングル（Ｌ字金具）５０を取り外すという簡単な作業のみにより任意の位置の太陽電池モジュールを固定することができる。」と記載されているのみであり，上記の記載以外に任意の位置の太陽電池モジュールを取り外し，固定することについての記載は見あたらない。また，任意の位置の太陽電池モジュールの取付および取外しのために，他の太陽電池モジュール支持固定部が特別な構成を備えていることを示す記載もされていない。
　してみると，「太陽電池モジュールが連続して複数並べて設置された場合に、太陽電池モジュールの取替えの際、太陽電池モジュール支持固定部が延びる方向の任意の位置の太陽電池モジュールの取付および取外しができるように」するための「他の太陽電池モジュール支持固定部」の構成とは，他の太陽電池モジュール支持固定部を位置決め部に載置するための構成にとどまるということができる。
　そして，他の太陽電池モジュール支持固定部を位置決め部に載置する構成が当業者にとって適宜採用できる構成に過ぎないことは，上記（相違点２について）において検討したとおりである。
　
　２−１−３．まとめ
　よって，本件補正発明は，刊行物１記載の発明に基づいて当業者が容易に発明をすることができたものであるから，特許法第２９条第２項の規定により特許出願の際独立して特許を受けることができないものである。
　
　２−２．特許法第２９条の２について
　２−２−１．先願発明
　本願の出願前に出願され，本願の出願後に公開された出願である，特願２００１−２７５８５８号（特開２００３−８２８１８号公報参照）の願書に最初に添付された明細書（以下，「先願明細書」という。）には，以下の記載がある。
（２ａ）「【発明の属する技術分野】
　この発明は、瓦と一体化した屋根材として利用することができる瓦と取り合いのできる太陽電池に関する。」（段落【０００１】）
（２ｂ）「次に、図２（ｂ）を参照しながら両ケラバ側（棟側および軒先側以外の家の両側面側をいう）のフレーム２の構成について説明する。フレーム２の短辺一端側である右ケラバ側（Ｄ’側）は、断面がコの字形状であり、太陽電池５をフレーム２内に装填することができるように、フレーム２の中空枠型の短手方向上面部および底面部の間には、約７．７ｍｍの厚み幅５１が形成されている。また、第１の短辺接合手段であるフレーム２の短辺一端側の底面部２７には、底面部２７に対して垂直下方に突出している雨水路防止としての突出部２７ａ、２７ｂとが形成されている。突出部２７ａ、２７ｂは、短辺一端側底面部に対して垂直下方に突出しており、特に、突出部２７ａは、フレーム２の底面部２７を短辺他端側に向けて折り曲げた底面端部に形成されている。また、突出部２７ａと突出部２７ｂの間隔は適宜変更が可能となっている。・・・
　同様に、フレーム２の短辺他端側である左ケラバ側（Ｄ側）は、断面が逆コの字形状であり、フレーム２内に装填することができるように、棟側および軒先側と同じ約７．７ｍｍの厚み幅５１が上面部と底面部の間に形成されている。・・・また、フレーム２の側面部２８は、太陽電池５に対して垂直下方に延びており、この延びた側面部２８には、太陽電池５に平行する面を形成するように、すなわち側面部２８に対して垂直に雨水路防止のための水路防止部２９が接合されている。このように、中空枠型の短辺他端側の側面部２８は下方に延びており、この下方に延びた側面部２８の下端には短辺他端側の底面に向かって短手方向に沿って垂直上方に突出している突出部２９ａ、２９ｂ、２９ｃを有する水路防止部２９が形成されている。また、側面部２８には、側面部２８と直角をなすように形成された係止部２８ａが設けられている。突出部２９ａ、２９ｃは、水路防止部２９の両端に設けられており、雨水などが流れ出さないような高さとなっている。
　このように、フレーム２の短辺側の底面部２７に突出部２７ａ、２７ｂ、側面部２８に係止部２８ａ、水路防止部２９に突出部２９ａ、２９ｂ、２９ｃを形成したことにより、目地部からの雨水の水路が狭くなり、水路防止部２９および瓦の下に入り込む水量を抑えることができる。なお、係止部２８ａおよび突出部２９ａ、２９ｂ、２９ｃは、図３のように瓦や別の太陽電池モジュール１が横に並べて取り合いされる際に、別の太陽電池モジュールのフレーム２の突出部２７ａ、２７ｂと組み合わされることにより雨水路防止の役目を果たすことができるようになっている。　また、図示のように、側面部２８、係止部２８ａ、水路防止部２９および突出部２９ｂによって囲まれた隙間２９０（点線で囲まれた部分）が形成されている。さらに、側面部２８、水路防止部２９および突出部２９ａによって囲まれた隙間２９１（点線で囲まれた部分）が形成されている。棟側の太陽電池モジュール１の隙間２６１に溜まった雨水が軒先側の太陽電池モジュール１のフレーム２棟側から見た場合の左右両方の隙間２９０、２９１に流れいくようになっている。
　次に、実際に太陽電池モジュール１を屋根材として設置した実施の形態について説明する。　図４は、図３のＥ−Ｅ’縦断面を示した斜視図である。また、図５（ａ）〜（ｃ）は、図４のＳ部、Ｔ部、Ｕ部をそれぞれ拡大した図である。なお、ここでは一例として、３枚の太陽電池モジュール１ａ、１ｂ、１ｃが棟側に屋根材として葺かれているものとして説明する。　図４に示したように屋根の野地板９１（厚さ約９ｍｍ）上にルーフィング９２および縦桟９３が形成されており、この縦桟９３上に太陽電池モジュール１や瓦８を固定する瓦桟９が所定間隔で設置されている。・・・」（段落【００１７】〜【００２０】）
（２ｃ）「図７（ｂ）は、図６のＹ部を拡大した図であり、太陽電池モジュール１ｂと太陽電池モジュール１ｄのケラバ側接合部分を示している。図７（ｂ）に示したように、太陽電池モジュール１ｃのフレーム２の底面部２７は、横に並べて接合される太陽電池モジュール１ｄの側面部２８および側面部２８に形成された係止部２８ａと接するように固定される。このとき、太陽電池モジュール１ｃの底面部２７に形成された突出部２７ａ、２７ｂは、太陽電池モジュール１ｅの水路防止部２９と直角をなすように形成された突出部２９ｂ、２９ｃとかみ合わされるようになっている。すなわち、太陽電池モジュール１ｂのフレーム２の底面部２７に形成された突出部２７ａは、横に接合される太陽電池モジュール１ｄの水路防止部２９に形成された突出部２９ｃと突出部２９ｂの間に入るように、また、太陽電池モジュール１ｃの突出部２７ａは、太陽電池モジュール１ｄの側面部２８、突出部２８ａ、２９ｂおよび水路防止部２９に囲まれるようになっている。・・・」（段落【００２９】）
（２ｄ）「・・・このように軒先側で太陽電池モジュール１ａと瓦８ａの取り合いを行う場合、軒先固定用金具１２を軒先方向からビス１０によって固定しているので、太陽電池モジュール１ａに不具合が発生したなどの理由から交換が必要となったとき、先方向からビス１０を取り外すことにより、交換が必要な太陽電池モジュール１枚のみを容易に取り外すことができる。・・・」（段落【００２２】）
（２ｅ）「【発明の効果】本発明の瓦と取り合いのできる太陽電池によると、屋根材としての施工、瓦との取り合いおよび一枚交換が容易であり、防水性に優れた太陽電池モジュールを提供することができる。」（段落【００３４】）
　
　上記記載事項（２ａ）〜（２ｅ）及び図面の記載から見て，先願明細書には，以下の発明が記載されているものと認められる。
「瓦と取り合いのできる，屋根の瓦桟９の上に設置される，太陽電池５を取付けるためのフレーム２であって，
　前記太陽電池を固定するために，屋根の上側から下側へ向かって延びるように設けられる，フレーム２の左ケラバ側の部分と、
　該左ケラバ側の部分の下側に雨水路防止のために形成された水路防止部２９とを備え，
　該水路防止部２９内に、該水路防止部２９を分ける突出部２９ｂが形成され、
　前記フレーム２の左ケラバ側の部分は、
　フレーム２の右ケラバ側の部分と一対をなして前記太陽電池を支持固定するものであって，
　前記フレーム２の左ケラバ側の部分が太陽電池を支持固定する面と反対側の面に、前記フレーム２の右ケラバ側の部分の底面部２７が接して固定される係止部２８ａを備えており，
　前記フレーム２の右ケラバ側の部分は、その底面部２７が前記係止部２８ａに対して接して固定されることにより，前記太陽電池と隣り合って設置される他の太陽電池を支持固定し，
　交換が必要な太陽電池１枚のみを容易に取り出すことのできる，太陽電池を取り付けるためのフレーム２。」（以下，「先願発明」という。）
　
　２−２−２．対比・判断
　本件補正発明と先願発明とを対比すると，先願発明の「屋根の瓦桟９」が本件補正発明の「勾配屋根の下地」に相当し，以下同様に「太陽電池５」が「太陽電池モジュール」に，「フレーム２の左ケラバ側の部分」が「太陽電池モジュール支持固定部」に，「水路防止部２９」が「排水溝部」に，「突出部２９ｂ」が「仕切壁」に，「フレーム２の右ケラバ側の部分」が「他の太陽電池モジュール支持固定部」に，「係止部２８ａ」が「位置決め部」にそれぞれ相当している。
　そして，先願発明における「係止部２８ａ」は，フレーム２の右ケラバ側の部分の底面部２７が接して固定されることから考えると，フレーム２の右ケラバ側の部分は係止部２８ａに対して，載置されているということができる。
　また，先願発明は，交換が必要な太陽電池１枚のみを容易に取り出すことができるのであるから，フレーム２の右ケラバ側の部分は、係止部２８ａに対して着脱可能であること，及び，フレーム２の右ケラバ側の部分は、太陽電池が連続して複数並べて設置された場合に、太陽電池の取替えの際、上下方向の任意の位置の太陽電池の取付および取外しができることは，自明の事項である。
　してみると，両者は，
　「勾配屋根に設置された瓦の代わりに、該勾配屋根の下地上に設置される太陽電池モジュールを取付けるための太陽電池モジュール取付部材であって、
　前記太陽電池モジュールを支持固定するために、前記勾配屋根の上側から下側へ向かって延びるように設けられる太陽電池モジュール支持固定部と、
　該太陽電池モジュール支持固定部の下側に該太陽電池モジュール支持固定部と一体的に設けられ、前記太陽電池モジュール支持固定部の表面を伝わって流れ込む雨水または該表面の近傍を通過して吹き込む雨水を受けて、該雨水を前記勾配屋根の上側から下側へ導くために、前記下地の上に前記勾配屋根の上側から下側へ向かって延びるように設置される排水溝部とを備え、
　該排水溝部内に、該排水溝部を複数の排水経路に分けるための仕切壁が、前記排水溝部が延びる方向に沿って延びるように形成され、
　前記太陽電池モジュール支持固定部は、
　他の太陽電池モジュール支持固定部と一対をなして前記太陽電池モジュールを支持固定するものであって、
　前記太陽電池モジュール支持固定部が太陽電池モジュールを支持固定する面と反対側の面に、前記他の太陽電池モジュール支持固定部が設置される位置を決定するための位置決め部を含み、
　前記他の太陽電池モジュール支持固定部は、前記位置決め部に対して着脱可能であり、前記他の太陽電池モジュール支持固定部を前記位置決め部に載置することにより、前記太陽電池モジュールと隣り合って設置される他の太陽電池モジュールを支持固定し、
　前記他の太陽電池モジュール支持固定部は、前記太陽電池モジュールが連続して複数並べて設置された場合に、前記太陽電池モジュールの取替えの際、前記太陽電池モジュール支持固定部が延びる方向の任意の位置の前記太陽電池モジュールの取付および取外しができるように構成されている、太陽電池モジュールの取付部材。」
　の点で一致しており，両者の間に実質的な相違点はない。
　
　２−２−３．まとめ
　よって，本件補正発明は，先願発明と同一の発明であるから，特許法第２９条の２の規定により特許出願の際独立して特許を受けることができないものである。
　
３．補正の却下の決定のむすび
　以上より，本件補正は，平成１８年法律第５５号改正附則第３条第１項によりなお従前の例によるとされる同法による改正前の特許法第１７条の２第５項で準用する同法第１２６条第５項に規定する要件を満たしていないものであるから，同法第１５９条第１項において読み替えて準用する同法第５３条第１項の規定により，却下されるべきものである。
　よって，上記［補正却下の決定の結論］のとおり，決定する。
　
【３】本願発明
１．本願発明
　平成２０年１月２５日付けの手続補正は上記のとおり却下されたので，本願の請求項１に係る発明は，平成１９年１０月１９日付けの手続補正書により補正された明細書の特許請求の範囲の請求項１に記載された事項により特定される，以下のとおりのものと認める。 
 　「【請求項１】　勾配屋根に設置された瓦の代わりに、該勾配屋根の下地上に設置される太陽電池モジュールを取付けるための太陽電池モジュール取付部材であって、
　前記太陽電池モジュールを支持固定するために、前記勾配屋根の上側から下側へ向かって延びるように設けられる太陽電池モジュール支持固定部と、
　該太陽電池モジュール支持固定部の下側に該太陽電池モジュール支持固定部と一体的に設けられ、前記太陽電池モジュール支持固定部の表面を伝わって流れ込む雨水または該表面の近傍を通過して吹き込む雨水を受けて、該雨水を前記勾配屋根の上側から下側へ導くために、前記下地の上に前記勾配屋根の上側から下側へ向かって延びるように設置される排水溝部とを備え、
　該排水溝部内に、該排水溝部を複数の排水経路に分けるための仕切壁が、前記排水溝部が延びる方向に沿って延びるように形成され、
　前記太陽電池モジュール支持固定部は、
　他の太陽電池モジュール支持固定部材と一対をなして前記太陽電池モジュールを支持固定するものであって、
　前記太陽電池モジュール支持固定部が太陽電池モジュールを支持固定する面と反対側の面に、前記他の太陽電池モジュール支持固定部が設置される位置を決定するための位置決め部を含み、
　前記他の太陽電池モジュール支持固定部は、前記位置決め部に対して着脱可能であり、前記他の太陽電池モジュール支持固定部を前記位置決め部に載置することにより、前記太陽電池モジュールと隣り合って設置される他の太陽電池モジュールを支持固定する、太陽電池モジュールの取付部材。」 
 （以下，「本願発明」という。） 
　
２．引用刊行物及び先願
　原査定の拒絶の理由に引用された，刊行物１，及び，先願明細書には，前記「【２】　２．　２−１．２−１−１．」及び「【２】　２．　２−２．２−２−１．」に記載したとおりの発明が記載されているものと認められる。
３．対比・判断
　本願発明は，前記「【２】２．」で検討した本件補正発明から「他の太陽電池モジュール支持固定部」の限定事項である「太陽電池モジュールが連続して複数並べて設置された場合に、前記太陽電池モジュールの取替えの際、太陽電池モジュール支持固定部が延びる方向の任意の位置の前記太陽電池モジュールの取付および取外しができるように構成されている」との構成を省いたものである。
　そうすると，本願発明の構成要件をすべて含み，さらに他の構成要件を付加したものに相当する本件補正発明が，前記「【２】２．２−１．」に記載したとおり，刊行物１記載の発明に基づいて，当業者が容易に発明をすることができたものであり，また，前記「【２】２．２−２．」に記載したとおり，先願発明と同一の発明であるから，本願発明も，同様の理由により，刊行物１記載の発明に基づいて，当業者が容易に発明をすることができたものであり，また，先願発明と同一の発明である。
　 
　したがって，本願発明は刊行物１記載の発明に基づいて当業者が容易に発明をすることができたものであるから，特許法第２９条第２項の規定により特許を受けることができない。
　また，本願発明は，先願発明と同一であるから，特許法第２９条の２の規定により特許を受けることができない。
　
【４】むすび  
　以上より，本願発明は特許を受けることができないから，本願のその余の請求項に係る発明について検討するまでもなく，本願は拒絶すべきものである。 
　よって，結論のとおり審決する。